(57)【要約】【課題】操作しやすい電子機器を提供すること。【解決手段】電子機器は、本体部の第１の面に設けられた第１表示部と、本体部の第１の面とは異なる第２の面に設けられた第２表示部と、第１の面に対する第１操作と、第２の面に対する第２操作を検出する検出部と、検出部の検出位置に基づき、所定の処理を行う処理部とを備える。【選択図】図１
2016208196.tif 000002
【特許請求の範囲】
【請求項１】
本体部の第１の面に設けられた第１表示部と、
前記本体部の前記第１の面とは異なる第２の面に設けられた第２表示部と、
前記第１の面に対する第１操作と、前記第２の面に対する第２操作を検出する検出部と、
前記検出部の検出位置に基づき、所定の処理を行う処理部と、を備えた電子機器。
【請求項２】
請求項１に記載の電子機器において、
前記処理部は、前記検出部が前記第１操作の後に前記第２操作を検出すると、前記所定の処理を行う電子機器。
【請求項３】
請求項２に記載の電子機器において、
前記処理部は、前記第１の面と前記第２の面との間を跨ぐ指示操作が前記検出部で検出された場合に第１の処理を行い、前記第１の面と前記第２の面との間を跨がない指示操作が前記検出部で検出された場合に第２の処理を行う電子機器。
【請求項４】
請求項３に記載の電子機器において、
前記処理部は、前記所定処理として電子機器が備えるいずれかの機能の設定を行い、
前記第１の処理は、前記検出部により前記跨ぐ指示操作が検出されると前記機能の一覧を前記第１表示部または前記第２表示部に表示するとともに、前記表示された前記機能の一覧から前記跨がない指示操作によって前記機能を設定し、
前記第２の処理は、前記第１表示部または前記第２表示部に前記機能が表示されているとき、前記跨がない指示操作によって前記機能を変更する電子機器。
【請求項５】
請求項３に記載の電子機器において、
前記処理部は、前記所定処理として電子機器が備えるいずれかの機能の設定を行い、
前記第１の処理は、前記跨ぐ指示操作に基づき前記設定する値を第１分解能で変更し、
前記第２の処理は、前記跨がない指示操作に基づき前記設定する値を前記第１分解能より小さい第２分解能で変更する電子機器。
【請求項６】
請求項５に記載の電子機器において、
前記処理部は、
前記第１の処理の際に、前記設定する値を示す第１スケールを前記第１表示部から前記第２表示部に跨いで表示し、
前記第２の処理の際に、前記設定する値を示す前記第１スケールより細かい第２スケールを前記第１表示部から前記第２表示部に跨いで表示する電子機器。
【請求項７】
請求項３に記載の電子機器において、
前記処理部は、前記所定処理として電子機器が備えるいずれかの機能の設定を行い、
前記第１の処理は、前記第１表示部または前記第２表示部に表示されている前記設定する値を用いた所定処理を実行し、
前記第２の処理は、前記第１表示部または前記第２表示部に表示されている前記設定する値の表示を前記跨がない指示操作に基づき変更する電子機器。
【請求項８】
請求項７に記載の電子機器において、
前記処理部は、前記第１の面から前記第２の面、または前記第２の面から前記第１の面へ向かう第１方向へ前記跨がない指示操作が前記検出部で検出された場合に前記第２の処理を行うとともに、前記第１方向と交差する第２方向へ前記跨がない指示操作が前記検出部で検出された場合に第３の処理を行う電子機器。
【請求項９】
請求項８に記載の電子機器において、
前記機能の設定は、画像に対するエフェクト処理の設定であり、
前記第１の処理は、前記第１表示部または前記第２表示部に表示されているエフェクト処理を画像に対して実行し、
前記第２の処理は、前記第１表示部または前記第２表示部に表示される前記エフェクト処理を前記跨がない指示操作に基づき選択し、
前記第３の処理は、前記エフェクト機能の強さを前記跨がない指示操作に基づき変更する電子機器。
【請求項１０】
請求項１に記載の電子機器において、
前記処理部は、前記検出部が前記第１操作とともに前記第２操作を検出すると、前記所定の処理を行う電子機器。
【請求項１１】
請求項１０に記載の電子機器において、
前記検出部は、前記第１の面に対する操作の指と前記第２の面に対する操作の指とが互いに接近する操作を検出すると、前記所定の処理として、それ以前に設定した内容をキャンセルするリセット処理またはアンドゥー処理を行う電子機器。
【請求項１２】
請求項１に記載の電子機器において、
前記第１表示部の表示面に対する着脱式のファインダーの装着を検出する検出部を備え、
前記処理部は、前記検出部で前記ファインダーの装着が検出された場合に、前記ファインダーを介して視認される画像を前記第１表示部に表示させる電子機器。
【請求項１３】
請求項１２に記載の電子機器において、
前記検出部は、前記第１表示部の表示面に対する前記ファインダーの装着位置を検出し、
前記処理部は、前記第１表示部において、前記検出部で検出された前記ファインダーの装着位置に前記ファインダーを介して視認される画像を表示させる電子機器。
【請求項１４】
請求項１３に記載の電子機器において、
前記処理部は、前記検出部で前記ファインダーの装着が検出された場合に、前記第１表示部において、前記ファインダーを介して視認される画像の表示を開始させる電子機器。
【請求項１５】
請求項１４に記載の電子機器において、
前記処理部は、前記検出部で前記ファインダーの装着位置の変更が検出された場合に、前記第１表示部において、前記ファインダーを介して視認される画像の表示位置を変更する電子機器。
【請求項１６】
請求項１に記載の電子機器において、
前記本体部の一端に配置した空洞グリップを備えた電子機器。
【請求項１７】
請求項１６に記載の電子機器において、
前記空洞グリップの側方は開放されている電子機器。
【請求項１８】
請求項１６に記載の電子機器において、
前記空洞グリップ内に放熱部を形成した電子機器。
【請求項１９】
請求項１６〜１８のいずれか一項に記載の電子機器において、
前記空洞グリップ内にアクセサリ増設部、あるいは操作部を設けた電子機器。
【発明の詳細な説明】
【技術分野】
【０００１】
本発明は、電子機器に関する。
【背景技術】
【０００２】
曲がっている面に情報を表示する機器が知られている（特許文献１参照）。従来技術では、曲面にアイコンを表示することが記載され、タッチ操作されたアイコンに割り当てられた処理が実行される。しかしながら、有用な操作について十分検討されていない。
【先行技術文献】
【特許文献】
【０００３】
【特許文献１】米国特許出願公開第ＵＳ２０１３／０１７８２４８号
【発明の概要】
【０００４】
電子機器は、本体部の第１の面に設けられた第１表示部と、前記本体部の前記第１の面とは異なる第２の面に設けられた第２表示部と、前記第１の面に対する第１操作と、前記第２の面に対する第２操作を検出する検出部と、前記検出部の検出に基づき、所定の処理を行う処理部と、を備える。
【図面の簡単な説明】
【０００５】
【図１】第１の実施形態によるカメラを例示する斜視図である。
【図２】カメラの要部構成を説明する図である。
【図３】表示部に表示される画面を説明する図である。
【図４】表示部に表示される画面を説明する図である。
【図５】表示部に表示された画面を正面から見た図である。
【図６】表示部の湾曲部が操作された場合における表示部の肩部分の表示を説明する図である。
【図７】仮想の円筒ダイヤルを拡大した図である。
【図８】表示部の肩部分の表示内容が歪む例を示す図である。
【図９】表示部に表示される画面を説明する図である。
【図１０】表示部に表示された画面を正面から見た図である。
【図１１】表示部に表示された目盛を例示する図である。
【図１２】表示部に表示された目盛を例示する図である。
【図１３】表示部に表示された細かい目盛を例示する図である。
【図１４】表示部に表示されたダイヤルを例示する図である。
【図１５】仮想のダイヤルを拡大した図である。
【図１６】絞り値が仮想のダイヤルの近傍に表示される例を示す図である。
【図１７】仮想のダイヤルのロック操作を説明する図である。
【図１８】ダイヤル操作を説明する図である。
【図１９】表示部に表示された二重ダイヤルを例示する図である。
【図２０】表示部の肩部分にアイコン等を表示させない場合を例示する図である。
【図２１】ズーム部分を表示させた場合を例示する図である。
【図２２】表示部に表示される画面を説明する図である。
【図２３】エフェクトの候補の表示が切り替わった状態を説明する図である。
【図２４】エフェクトが適用された状態を説明する図である。
【図２５】エフェクトの強さの変更操作を説明する図である。
【図２６】表示部に表示される画面を説明する図である。
【図２７】図２６の表示画面を正面から見た図である。
【図２８】露出モードを設定変更する場合にボディ制御部が実行する処理の流れを説明するフローチャートである。
【図２９】露出補正を設定変更する場合にボディ制御部が実行する処理の流れを説明するフローチャートである。
【図３０】エフェクトを設定変更する場合にボディ制御部が実行する処理の流れを説明するフローチャートである。
【図３１】カメラボディの正面図である。
【図３２】カメラボディの左側面図である。
【図３３】カメラボディの平面図である。
【図３４】カメラボディの下面図である。
【図３５】カメラボディの右側面図である。
【図３６】カメラボディの背面図である。
【図３７】カメラボディの斜視図である。
【図３８】カメラボディの正面図である。
【図３９】カメラボディの左側面図である。
【図４０】カメラボディの平面図である。
【図４１】カメラボディの下面図である。
【図４２】カメラボディの右側面図である。
【図４３】カメラボディの背面図である。
【図４４】カメラボディの斜視図である。
【図４５】カメラボディの正面図である。
【図４６】カメラボディの左側面図である。
【図４７】カメラボディの平面図である。
【図４８】カメラボディの下面図である。
【図４９】カメラボディの右側面図である。
【図５０】カメラボディの背面図である。
【図５１】カメラボディの斜視図である。
【図５２】カメラの要部構成を説明する図である。
【図５３】ボディ制御部が実行するＥＶＦ表示変更処理の流れを説明するフローチャートである。
【図５４】カメラボディの正面図である。
【図５５】カメラボディの左側面図である。
【図５６】カメラボディの平面図である。
【図５７】カメラボディの下面図である。
【図５８】カメラボディの右側面図である。
【図５９】カメラボディの背面図である。
【図６０】カメラボディの斜視図である。
【図６１】カメラボディの正面図である。
【図６２】カメラボディの左側面図である。
【図６３】カメラボディの平面図である。
【図６４】カメラボディの下面図である。
【図６５】カメラボディの右側面図である。
【図６６】カメラボディの背面図である。
【図６７】カメラボディの斜視図である。
【図６８】新しい操作態様を例示する図である。
【図６９】新しい操作を説明する図である。
【発明を実施するための形態】
【０００６】
本実施形態による電子機器の一例として、レンズ交換式のデジタルカメラを例にあげて説明する。
（第１の実施形態）
図１は、第１の実施形態によるカメラ１を例示する斜視図である。カメラ１は、交換レンズ３とカメラボディ２とで構成される。カメラボディ２は、本体部が平板状に構成されており、本体部の正面にボディ側マウント２０１が備えられている。カメラボディ２の長軸方向を上下方向、カメラボディ２の短軸方向を左右方向もしくは水平方向、カメラボディ２の奥行方向を前後方向として説明する。本体部のボディ側マウント２０１より上側は、前方（正面側）に傾斜している。傾斜角度は、図示した角度より深くても浅くてもよい。また、本体部のボディ側マウント２０１の左側には、グリップＧ１が設けられている。
平板状の本体部は、外観が平板状の筐体ケースと、筐体ケースの内部に実装された回路基板と、薄型リチウムイオン電池のような充放電可能な蓄電素子とを備える。ボディ側マウント２０１は筐体ケースに設けられ、ボディ側マウント２０１の内方の回路基板に撮像素子２２（図２）が実装される。
【０００７】
交換レンズ３は、レンズ側マウント３０１を介してカメラボディ２の本体部のボディ側マウント２０１に装着される。
なお、本実施形態においてはレンズ交換式のカメラシステムを例示するが、レンズ交換式でなく、交換レンズ３とカメラボディ２とを一体に構成したレンズ一体式のカメラとして構成してもよい。
【０００８】
図２は、カメラ１の要部構成を説明する図である。図２に例示するように、カメラボディ２に交換レンズ３が装着されると、ボディ側マウント部２０１に設けられた端子群２０２と、レンズ側マウント部３０１に設けられた端子群３０２とが電気的に接続される。これにより、端子群２０２、３０２を介して、カメラボディ２から交換レンズ３への電力供給や、カメラボディ２および交換レンズ３間の通信が可能となる。
【０００９】
＜交換レンズ＞
交換レンズ３は、レンズ３１と、ズーミングレンズ３２と、フォーカシングレンズ３３と、絞り３４と、レンズ制御部３５と、レンズメモリ３６とを有する。交換レンズ３は、被写体像をカメラボディ２側の撮像素子２２に結像させる。
【００１０】
フォーカスレンズ３３は、レンズ制御部３５からの指示を受けたフォーカスレンズ駆動モータ３３１によって駆動される。フォーカスレンズ３３が光軸Ｌ１方向に進退移動することで、交換レンズ３による焦点位置が調節される。
【００１１】
ズームレンズ３２は、レンズ制御部３５からの指示を受けたズームスレンズ駆動モータ３２１によって駆動される。ズームレンズ３２が光軸Ｌ１方向に進退移動することで、交換レンズ３による焦点距離が変化する。
【００１２】
絞り３４は、光軸Ｌ１を中心にした開口径を変化させることにより、交換レンズ３を通過して撮像素子２２に至る光束を制限する。絞り３４に対する開口径の変更指示は、レンズ制御部３５によって行われる。
【００１３】
レンズ制御部３５は、不図示のマイクロコンピュータ、メモリ、駆動制御回路などから構成される。レンズ制御部３５は、焦点調節時にフォーカシングレンズ３３を光軸Ｌ１方向に進退移動させるためのレンズ駆動を制御する他、絞り調節時には絞り３４の開口径を変更するための絞り駆動を制御する。また、ズーミング時にズームレンズ３２を光軸Ｌ１方向に進退移動させるためのレンズ駆動を制御する。
【００１４】
レンズ制御部３５はさらに、ボディ制御部２１と通信を行う。この通信では、交換レンズ３からカメラボディ２へレンズ情報（フォーカシングレンズ３３やズームレンズ３２のレンズ位置や絞り３４の開口径など）が送信され、カメラボディ２から交換レンズ３へカメラ情報（レンズ駆動指示や絞り駆動指示など）が送信される。
【００１５】
レンズメモリ３８には、交換レンズ３の情報が記録される。交換レンズ３の情報は、レンズ制御部３５によってレンズメモリ３８から読み出され、ボディ制御部２１へ送信される。
【００１６】
＜カメラボディ＞
カメラボディ２は、ボディ制御部２１と、撮像素子２２と、シャッター２３と、表示部２５と、操作部２６と、メモリ２４とを含む。なおメモリ２４は、カメラボディ２に着脱可能な構成としてもよいし、カメラボディ２に内蔵された構成としてもよい。
【００１７】
ボディ制御部２１は、不図示のマイクロコンピュータやメモリ２１Ａ等を含み、メモリ２１Ａに記録されている制御プログラムに基づいて、カメラ１の各部の動作を統括的に制御する。例えば、ボディ制御部２１は、撮像素子２２から出力されたデータに対して所定の画像処理（色補間処理、階調変換処理、輪郭強調処理、ホワイトバランス調整、リサイズ処理、エフェクト処理など）を施す。
【００１８】
また、ボディ制御部２１は、撮像素子２２から出力されたデータを用いて所定の露出演算を行うとともに、この露出演算によって求めた露出量に基づいてカメラ１の露出制御を行う。さらにまた、ボディ制御部２１は、交換レンズ３の焦点検出処理を行う。
【００１９】
焦点検出処理は、コントラストＡＦ方式でも位相差ＡＦ方式でもよい。コントラストＡＦ方式では、フォーカスレンズ３３を移動させながら、フォーカスレンズ３３のそれぞれの位置において撮像素子２２で取得されたデータに基づいて公知の焦点評価値演算を行う。そして、焦点評価値が最大となるフォーカスレンズ３３の位置を合焦位置とする。
【００２０】
位相差ＡＦ方式では、交換レンズ３の異なる瞳領域を介して入射された一対のフォーカス検出用光束による像の位相差に基づいてデフォーカス量を検出する。ボディ制御部２１は、位相差検出用センサの異なる位置に設けられたフォーカス検出用画素列でそれぞれ撮像される一対の像の相対位置ズレ量（相対間隔）に基づいて、合焦に必要なフォーカスレンズ３３の移動方向および移動量を算出する。
なお、位相差検出用センサは、あらかじめ撮像素子２２に含められているフォーカス検出用画素列を用いてもよいし、フォーカス検出用画素列を備えた専用センサを撮像素子２２とは別に備える構成にしてもよい。
【００２１】
撮像素子２２は、複数の光電変換素子が二次元状に配置されたものであり、後述する静止画やライブビュー画像（スルー画像とも呼ばれる）を撮像する。ライブビュー画像は、撮像素子２２によって所定のフレームレートで逐次取得される観察用の画像である。また、撮像素子２２は、後述する動画の撮像も可能に構成される。
【００２２】
シャッター２３は、ボディ制御部２１によって開閉制御される。メモリ２４は、ボディ制御部２１によって画像データの書き込みおよび読み出しが制御される。
【００２３】
表示部２５は、例えばフレキシブル液晶パネルによって構成される。表示部２５は、カメラボディ２の本体部の上面から背面にかけての傾斜部の略全域（以降、肩部分と呼ぶ）２５Ｂと、本体部の背面の略全域（以降、背面２５Ａと呼ぶ）にわたって設けられている。背面２５Ａと肩部分２５Ｂとの間には、湾曲部２５Ｃが設けられている。背面２５Ａと肩部分２５Ｂと湾曲部２５Ｃはそれぞれ異なる面（平面）に設けられている。表示部２５は、ボディ制御部２１の指示に応じて画像を再生表示したり、シャッター速度、絞り値、撮像枚数などのカメラ情報や、カメラボディ２に各種設定操作を行うための操作部情報や、操作メニュー画面を表示したりする。表示部２５による表示の詳細については後述する。
【００２４】
また、上記表示部２５の表示面にはタッチ操作部材２５Ｓが積層されている。タッチ操作部材２５Ｓは、表示画面上でユーザーが触れている位置を示す信号をボディ制御部２１へ送出する。
【００２５】
操作部材２６は、レリーズボタン、操作ダイヤルや電源スイッチなどを含む。操作部材２６は、操作に応じた操作信号をボディ制御部２１へ送出する。
なお、本実施形態においては、操作部材２６を上記タッチ操作部材２５Ｓと別に設ける例を説明するが、操作部材２６の機能をタッチ操作部材２５Ｓに全て含めるように構成してもよい。
すなわち、表示部２５に操作アイコンをひとつまたは複数表示し、これらの操作アイコンの座標位置とアイコンに割り当てられた処理とを対応づける。ボディ制御部２１は、ユーザーによりタッチ操作された表示部２５上の座標位置をタッチ操作部材２５Ｓからの信号で検出する。そして、この信号に基づき操作アイコンに割り当てられた処理を実行する。
【００２６】
カメラ１は、静止画撮像と動画撮像とが可能に構成されている。
＜ライブビュー画像＞
本実施形態では、通常、撮像待機状態においてライブビューモードにする。ライブビューモードにおける動作の一例を説明すると、ボディ制御部２１が、シャッター２３を開いたままで、交換レンズ３の絞り３４を被写体の明るさに応じた開口径へ制御させるとともに、撮像素子２２によりライブビュー画像を所定のフレームレートで取得させる。ボディ制御部２１は、取得されたライブビュー画像を表示部２５に逐次表示させる。
【００２７】
＜静止画＞
ボディ制御部２１は、例えば、ユーザーによって操作部材２６を構成するレリーズボタンが全押し操作されると、静止画撮像を開始させる。動作の一例を説明すると、シャッター２３を一旦閉じ、交換レンズ３の絞り３４を、被写体の明るさに応じた開口径へ制御させるとともに、シャッター２３を開いて被写体からの光束を撮像素子２２へ導く。ボディ制御部２１は、所定のシャッター秒時が経過するとシャッター２３を閉じ、撮像素子２２によって光電変換された画像のデータに対して所定の画像処理を施す。ボディ制御部２１は、ライブビューモードへ戻るために再びシャッター２３を開くとともに、画像処理後の画像データをメモリ２４に記録する。
【００２８】
＜動画＞
また、ボディ制御部２１は、例えば、表示部２５の肩部分２５Ｂに表示されている不図示の録画アイコンや操作部材２６の録画ボタンがユーザーによって操作されると、動画撮像を開始させる。動作の一例を説明すると、交換レンズ３の絞り３４の開口径を、被写体の明るさに応じた開口径へ制御させ、撮像素子２２により動画の撮像を所定のフレームレートで行わせる。このとき、不図示のマイクにより集音された音声の録音も行う。ボディ制御部２１は、動画の撮像中に録画アイコンまたは録画ボタンが再び操作されると、動画の撮像および音声の録音を終了させる。動画のデータおよび音声のデータは、ボディ制御部２１によってメモリ２４に記録される。
【００２９】
＜表示部２５を用いたユーザー操作＞
図３は、ライブビューモードにおいて、表示部２５に表示される画面を説明する図である。ボディ制御部２１は、表示部２５の背面２５Ａにライブビュー画像を表示させるとともに、表示部２５の肩部分２５Ｂにホームアイコンを表示させる。ホームアイコンは、例えば、撮像条件アイコンｉ１と、エフェクトアイコンｉ２と、再生アイコンｉ３と、ＩＳＯ感度／露出補正アイコンｉ４と、メニューアイコンｉ５とを含む。
【００３０】
ホームアイコンの数は、上記５つ以上でも５つ以下でもよい。表示スペースの都合によって全てのホームアイコンを一度に表示できない場合には、ボディ制御部２１は、ユーザー操作に応じてホームアイコンをスクロール表示させる。すなわち、ユーザーが肩部分２５Ｂで指を水平方向にずらすスライド操作をすると、ボディ制御部２１が、表示しているアイコンをスライド操作の方向へスクロールさせることにより、隠れている（表示していない）アイコンを表示させる。
なお、表示部２５の肩部分２５Ｂに表示させるアイコン等を、表示部２５における所定の位置に配した不図示のファンクションアイコンに対するタッチ操作に応じて切り替える構成にしてもよい。
【００３１】
＜撮像条件の設定＞
例えば、ユーザーがホームアイコンのうちの撮像条件アイコンｉ１をタッチ操作すると、ボディ制御部２１は、表示部２５の肩部分２５Ｂに表示しているホームアイコンに代えて、撮像条件を肩部分２５Ｂに表示させる。図４は、表示部２５に表示される画面を説明する図である。図４において、表示部２５の肩部分２５Ｂに条件ｉ６と、条件ｉ７と、条件ｉ８と、条件ｉ９とが表示されている。図４の例では、条件ｉ６が露出モードに対応する。露出モードは、例えばＰ（プログラムオート）モード、Ｓ（シャッター速度優先オート）モード、Ａ（絞り優先オート）モード、Ｍ（マニュアル）モードが切り替え可能に構成される。
【００３２】
また、条件ｉ７は絞り値に対応する。絞り値は、交換レンズ３で設定可能な値（例えばｆ１．８〜ｆ１１）に変更可能に構成される。条件ｉ８はシャッター速度に対応する。シャッター速度は、例えば１／６０００秒から３０秒の範囲で変更可能に構成される。条件ｉ９は、露出補正に対応する。露出補正は、例えば、±３段の範囲で変更可能に構成される。
【００３３】
＜小さい操作（湾曲部２５Ｃを跨がない操作）＞
例えば、条件ｉ６（露出モード）を変更する場合、ユーザーは、表示部２５の湾曲部２５Ｃのうち、条件ｉ６の表示位置の近傍のエリア４１で、指を上下方向に小さくずらす操作を行う。ボディ制御部２１は、エリア４１で下向きの操作を検出するごとに、露出モードを、Ｐ→Ｓ→Ａ→Ｍ→Ｐ…の順に切り替える。
【００３４】
反対に、ボディ制御部２１は、エリア４１で上向きの操作を検出するごとに、露出モードを、Ｐ→Ｍ→Ａ→Ｓ→Ｐ…の順に切り替える。図５は、露出モードをＳモードに切り替えた場合に表示部２５に表示された画面を、正面から見た図である。なおエリア４１は、湾曲部２５Ｃに設けられていてもよいし、肩部分２５Ｂから湾曲部２５Ｃにまたがって設けられていてもよいし、湾曲部２５Ｃから背面２５Ａにまたがって設けられていてもよいし、肩部分２５Ｂから湾曲部２５Ｃ、さらに背面２５Ａにまたがって設けられていてもよい。
【００３５】
図６は、図４の表示部２５の湾曲部２５Ｃ（上記例ではエリア４１）が操作された場合における表示部２５の肩部分２５Ｂの表示を説明する図である。ボディ制御部２１は、湾曲部２５Ｃに対する操作量に応じて、仮想の円筒ダイヤル６１があたかも回転操作されたかのように、表示部２５の肩部分２５Ｂの表示を切り替える。
【００３６】
図７は、仮想の円筒ダイヤル６１を拡大した図である。図７において、仮想の円筒ダイヤル６１の周囲には、条件ｉ６〜条件ｉ８の設定値がそれぞれ記されている。ボディ制御部２１は、図７の円筒ダイヤル６１を湾曲部２５Ｃに対する操作量に応じて回転させる。仮想の円筒ダイヤル６１の回転に伴い、円筒ダイヤル６１の周囲に記されている条件ｉ６〜条件ｉ８の設定値を表示する位置が移動する。ボディ制御部２１は、上記表示の位置が移動するように表示部２５の肩部分２５Ｂに表示させるとともに、仮想の円筒ダイヤル６１の天頂部へ移動した設定値へ条件ｉ６（露出モード）を変更する。
なお、上記例ではエリア４１（湾曲部２５Ｃ）が操作されることによって仮想の円筒ダイヤル６１の条件ｉ６の設定値が移動する例を説明したが、他の条件ｉ７〜条件ｉ９の設定についても同様である。
なお、Ａモードでは、絞り値と露出補正とが変更可能であり、シャッター速度はユーザー操作により変更することはできない。そのため、ボディ制御部２１は、表示部２５における条件ｉ８の表示を非表示としてもよいし、グレーアウトするよう表示態様を変更するようにしてもよい。また条件ｉ８が表示部２５に表示されている場合、ボディ制御部２１は、絞り値が変更されたことに応じて、適正露出を保つためにシャッター速度の値およびその表示を変更させる。
なお、Ｓモードでは、シャッター速度と露出補正とが変更可能であり、絞り値はユーザー操作により変更することができない。そのため、ボディ制御部２１は、表示部２５における条件ｉ７の表示を非表示としてもよいし、グレーアウトするよう表示態様を変更するようにしてもよい。また条件ｉ７が表示部２５に表示されている場合、ボディ制御部２１は、シャッター速度が変更されたことに応じて、適正露出を保つために絞り値の値およびその表示を変更させる。
【００３７】
ここで、ユーザーが表示部２５の表示面を背面２５Ａと正対する向きに観察する場合、ユーザーにとって表示部２５の肩部分２５Ｂを観察する方向が斜めになる。このため、図８に例示するように、表示部２５の肩部分２５Ｂの表示内容が歪んで観察されてしまう。図８は、表示部２５の肩部分２５Ｂの表示内容が歪む例である。そこで、ボディ制御部２１は、ユーザーが表示部２５の表示面を背面２５Ａと正対する向きに観察した場合に、表示部２５の肩部分２５Ｂの表示が正しく観察されるように、あらかじめ表示する文字等の形状を補正して表示させる。図５の例では、表示部２５の肩部分２５Ｂの表示をあらかじめ補正したことにより、表示部２５の肩部分２５Ｂに表示されている数値を歪まずに表示させることができる。なお、ユーザーと表示部２５との相対位置を本体部の背面側（表示部２５側）に設けられた不図示の撮像部により検出するようにしてもよい。ボディ制御部２１は、撮像部の検出結果に基づいて、表示部２５の肩部分２５Ｂの表示の補正量を算出するようにしてもよい。
【００３８】
＜大きい操作（湾曲部２５Ｃを跨ぐ操作）＞
図９は、表示部２５に表示される画面を説明する図である。図４の場合と同様に、表示部２５の肩部分２５Ｂに条件ｉ６と、条件ｉ７と、条件ｉ８と、条件ｉ９とが表示されている。例えば、条件ｉ６（露出モード）を素早く変更したい場合、ユーザーは、条件ｉ６の表示位置から、エリア４１（湾曲部２５Ｃ）を跨いで背面２５Ａまで指を上下方向に大きくずらす操作を行う。
【００３９】
ボディ制御部２１は、エリア４１を跨ぐ下向きの操作を検出すると、露出モードの設定値を示す一覧表示を、表示部２５の背面２５Ａに表示させる。図１０は、露出モードについての一覧表示がライブビュー画像に重ねて表示された画面を、正面から見た図である。
なお、一覧表示は、表示部２５の背面２５Ａに表示してもよいし、湾曲部２５Ｃを跨いで肩部分２５Ｂから背面２５Ａにかけて表示してもよい。
【００４０】
ボディ制御部２１は、一覧表示のうちのＰ、Ｓ、Ａ、Ｍのいずれかがタッチ操作されると、タッチ操作されたモードに露出モードを切り替えるとともに、一覧表示の表示を終了させる。例えば、露出モードをＳモードに切り替えた場合は、図５に例示した画面を表示部２５に表示させるとともに、Ｓモードに切り替える。
【００４１】
以上の説明では、条件ｉ６（露出モード）を変更する場合を例示したが、条件ｉ７（絞り値）および条件ｉ８（シャッター速度）についても同様である。
【００４２】
上述した小さい操作および大きい操作は、ユーザーが、ズームレンズ３２の駆動操作や、フォーカスレンズ３３の駆動操作を行う場合に適用してもよい。すなわち、レンズを小さく小刻みに移動させたい場合には、湾曲部２５Ｃを跨がない小さな操作を行い、レンズを大きく移動させたい場合には、湾曲部２５Ｃを跨ぐ大きな操作を行う。
【００４３】
＜目盛を表示する例＞
例えば、条件ｉ９（露出補正）を変更する場合、ユーザーは、図４の条件ｉ９の表示位置から、条件ｉ９の表示位置の近傍のエリア７１（湾曲部２５Ｃ）を跨いで背面２５Ａまで指を上下方向に大きくずらす操作を行う。ボディ制御部２１は、エリア７１を跨ぐ操作を検出すると、条件ｉ９の表示位置、エリア７１および背面２５Ａに沿って目盛７２を表示させる。なお、ユーザーは、背面２５Ａから、近傍のエリア７１（湾曲部２５Ｃ）を跨いで条件ｉ９の表示位置まで、指を上下方向に大きくずらす操作を行ってもよい。
【００４４】
図１１は、表示部２５に表示された、条件ｉ９（露出補正）についての目盛７２を例示する図である。ボディ制御部２１は、エリア７１を跨ぐ操作を検出するごとに、露出補正値を、例えば１段ステップで切り替える。図１２は、図１１に比べて補正値を＋側に１段変更した場合を例示する図である。
【００４５】
ユーザーは、条件ｉ９（露出補正）の表示位置の近傍のエリア７１（湾曲部２５Ｃ）で、指を上下方向に小さくずらす操作を行う。ボディ制御部２１は、エリア７１を跨がない小さな操作を検出すると、粗い目盛７２に比べて細かい目盛７２Ｂを表示させる。図１３は、表示部２５に表示された、条件ｉ９（露出補正）についての細かい目盛７２Ｂを例示する図である。ボディ制御部２１は、エリア７１における操作を検出するごとに、露出補正値を、例えば０．１段ステップで切り替える。
なお、ボディ制御部２１は、目盛７２を表示部２５に表示させず、変更された露出補正値のみを表示するようにしてもよい。
【００４６】
＜アンドゥー操作＞
ボディ制御部２１は、２本の指の一方が肩部分２５Ｂに触れ、他方の指が背面２５Ａに触れた状態で湾曲部２５Ｃを挟むピンチ操作が行われる（あたかも湾曲部２５Ｃを摘む操作）と、上述したように設定した内容をキャンセルするリセット操作、あるいは直前の操作を取り消して元の状態に戻すアンドゥー操作として処理する。アンドゥー操作の指示は、ピンチ操作に限らず、背面２５Ａと肩部分２５Ｂとが同時に操作されたことによって検出されるようにしてもよい。
【００４７】
＜ダイヤルを表示する例＞
例えば、図４において条件ｉ７（絞り値）または条件ｉ８（シャッター速度）を変更する場合、ユーザーは、図４の条件ｉ７またはｉ８の表示位置の近傍のエリア８１（湾曲部２５Ｃ）またはエリア９１（湾曲部２５Ｃ）で、指を水平方向に小さくずらす操作を行う。
【００４８】
例えば、条件ｉ７の表示位置の近傍のエリア８１（湾曲部２５Ｃ）が水平方向に操作されると、ボディ制御部２１は、表示部２５の肩部分２５Ｂにおいて条件ｉ７の表示位置に仮想のダイヤルＤを表示させる。図１４は、表示部２５に表示されたダイヤルＤを例示する図である。ボディ制御部２１は、エリア８１における水平方向の操作を検出するごとに、あたかもダイヤルＤが回転操作されたかのように、絞り値を変更する。ボディ制御部２１は、ダイヤルＤに対する操作が検出されなくなって所定時間（例えば３秒）が経過すると、仮想のダイヤルＤの表示を終了する。
【００４９】
図１５は、条件ｉ７（絞り値）についての仮想のダイヤルＤ１を拡大した図である。図１５の例では、現絞り値が仮想のダイヤルＤ１の上面に表示される。図１６は、絞り値が仮想のダイヤルＤ２の近傍に表示される例を示す図である。図１６の場合においても、ボディ制御部２１は、エリア８１における水平方向の操作を検出するごとに、あたかもダイヤルＤ２が回転操作されたかのように、絞り値を変更する。
【００５０】
カメラボディ２は、仮想のダイヤルＤの誤操作を防止するためにロック機能を備えている。図１７は、仮想のダイヤルＤのロック操作を説明する図である。ボディ制御部２１は、背面２５Ａから、湾曲部２５Ｃを跨いで肩部分２５ＢのダイヤルＤの表示位置に向けて、指を上下方向にずらす操作が行われると、仮想のダイヤルＤをロックさせる。ダイヤルＤをロックした場合、ボディ制御部２１は、仮想のダイヤルＤの表示色を変化させたり、キーマークを表示させたりする。ロック状態の場合、ボディ制御部２１は、図１８に示すようなダイヤル操作（湾曲部２５Ｃに対する水平方向の操作）を検出しても、絞り値を変更しない。
【００５１】
ボディ制御部２１は、肩部分２５ＢのダイヤルＤの表示位置から、湾曲部２５Ｃを跨いで背面２５Ａに向けて、指を上下方向にずらす操作が行われると、仮想のダイヤルＤのロックを解除する。ダイヤルＤのロックを解除した場合、ボディ制御部２１は、仮想のダイヤルＤの表示色を元に戻す。なお、キーマークを表示していた場合はその表示を終了させる。
【００５２】
＜二重ダイヤルを表示する例＞
例えば、図３においてＩＳＯ感度／露出補正アイコンｉ４がタッチ操作された場合、ボディ制御部２１は、表示部２５の肩部分２５Ｂにおいて仮想の二重ダイヤルＤ３を表示させる。図１９は、表示部２５に表示された二重ダイヤルＤ３を例示する図である。図１９の上側の図は、仮想の二重ダイヤルＤ３のうちの内側ダイヤルＤ３１が操作されている状態を示す。また、図１９の下側の図は、仮想の二重ダイヤルＤ３のうちの外側ダイヤルＤ３２が操作されている状態を示す。
【００５３】
ボディ制御部２１は、表示部２５の肩部分２５Ｂにおいて内側ダイヤルＤ３１に対する操作を検出するごとに、あたかも内側ダイヤルＤ３１が回転操作されたかのように、例えば露出補正値を変更する。
【００５４】
また、ボディ制御部２１は、表示部２５の背面２５Ａにおいて水平方向の操作を検出するごとに、あたかも外側ダイヤルＤ３２が回転操作されたかのように、例えばＩＳＯ感度値を変更する。
【００５５】
ボディ制御部２１は、内側ダイヤルＤ３１に対する操作および外側ダイヤルＤ３２に対する操作のいずれも検出されなくなって所定時間（例えば３秒）が経過すると、仮想の二重ダイヤルＤ３の表示を終了して図３の状態に戻す。
【００５６】
＜ズーミング時の表示＞
図２０は、表示部２５の肩部分２５Ｂにアイコン等を表示させない場合を例示する図である。ボディ制御部２１は、表示部２５の表示エリアの全域を使って、ライブビュー画像を擬似的な空間の奥に表示させる。
【００５７】
ボディ制御部２１は、例えば、ユーザーによって表示部２５の画面上でピンチアウト操作されると、操作位置に表示されている被写体を中心にズーム処理を行い、ズーム部分を擬似的な空間の手前に表示させる。図２１は、ズーム部分を表示させた場合を例示する図である。
なお、ライブビュー画像に対してズーミング操作を行った場合について説明したが、これに限定されず、再生画像に対してズーミング操作（拡大表示、縮小表示）を行った場合にも同様の表示態様としてもよい。また、ズーム処理の指示をピンチアウト操作として説明したが、操作部材２６が操作されたことによって、ボディ制御部２１は、表示態様を変更するようにしてもよい。
【００５８】
＜エフェクトの設定＞
例えば、ユーザーが図３のホームアイコンのうちのエフェクトアイコンｉ２をタッチ操作すると、ボディ制御部２１は、表示部２５の肩部分２５Ｂに表示しているホームアイコンに代えて、エフェクト変更操作部を表示させる。図２２は、表示部２５に表示される画面を説明する図である。図２２において、表示部２５の肩部分２５Ｂにエフェクト変更操作部が表示されている。
【００５９】
例えば、エフェクトを変更する場合、ユーザーは、表示部２５の湾曲部２５Ｃのうちのエリア４１で、指を上下方向に小さくずらす操作を行う。ボディ制御部２１は、エリア４１で上下方向の操作を検出するごとに、設定値（本例ではエフェクトの候補）を表示部２５の肩部分２５Ｂに順番に表示する。この場合、上述した仮想の円筒ダイヤル６１（図６）があたかも回転操作されたかのように、表示部２５の肩部分２５Ｂの表示を切り替える。図２３は、エフェクトの候補の表示が切り替わった状態を説明する図である。
【００６０】
例えば、表示部２５Ａに表示されているライブビュー画像に対してエフェクトを適用する場合、ユーザーは、表示部２５の肩部分２５Ｂから、エリア４１（湾曲部２５Ｃ）を跨いで背面２５Ａまで指を上下方向に大きくずらす操作を行う。
【００６１】
ボディ制御部２１は、エリア４１を跨ぐ下向きの操作を検出すると、ライブビュー画像に対してエフェクトを適用した画像処理を行い、画像処理後の画像を表示部２５の背面２５Ａに表示させる。図２４は、エフェクトが適用された状態を説明する図である。図２４では便宜上「ＳＥＰＩＡ」と記載しているが、セピア色に処理されたライブビュー画像が表示される。
【００６２】
図２５は、エフェクトの強さの変更操作を説明する図である。ボディ制御部２１は、エリア４１において水平方向の操作を検出すると、ライブビュー画像に対して適用したエフェクトの強さを変化させる。すなわち、操作に応じて画像処理における強弱を変更し、変更後の強さを適用して画像処理したライブビュー画像を表示部２５の背面２５Ａに表示させる。ユーザーは、エリア４１において水平方向に操作をすることで、エフェクトの強さがリアルタイムに変化するライブビュー画像を観察できる。
なお、ライブビュー画像に対してエフェクトを適用する場合について説明したが、これに限定されず、再生画像に対してエフェクトを適用するようにしてもよい。
【００６３】
＜再生設定１＞
例えば、ユーザーが図３のホームアイコンのうちの再生アイコンｉ３をタッチ操作すると、ボディ制御部２１は、表示部２５の肩部分２５Ｂの表示を終了するとともに、表示部２５の表示エリアの全域を使って、再生画像を擬似的な空間に表示させる。
【００６４】
図２６は、表示部２５に表示される画面を説明する図である。図２６において、複数コマの画像２５１、２５２、２５３が重ねて表示されている。ボディ制御部２１は、メモリ２４に記録されている画像のうち、例えば、読み出し指定された画像２５１、２５２、２５３を撮像順に表示させる。
【００６５】
ボディ制御部２１は、表示部２５の肩部分２５Ｂを使って、複数コマの画像を重なりがわかるように階層表示させる。図２７は、図２６の表示画面を正面から見た図である。ユーザーは、例えば、擬似的な空間において１番奥に表示されている画像２５３を鑑賞したい場合には、表示部２５の肩部分２５Ｂにおいて画像２５３の表示をタッチ操作する。ボディ制御部２１は、画像２５３へのタッチ操作を検出すると、画像２５１に代えて画像２５３を擬似的な空間において１番手前に表示させる。
【００６６】
以上の説明では、再生時における複数コマの画像の階層表示を例に説明したが、複数の操作メニュー画面についても、同様に擬似的な空間に階層表示させることもできる。例えば、ユーザーが擬似的な空間において１番奥に表示されている操作メニュー画面を操作したい場合には、表示部２５の肩部分２５Ｂにおいて当該操作メニュー画面の表示をタッチ操作する。ボディ制御部２１は、タッチ操作を検出すると、１番手前に表示している操作メニュー画面に代えて、タッチ操作された操作メニュー画面を擬似的な空間において１番手前に表示させる。
【００６７】
＜再生設定２＞
ユーザーが図３のホームアイコンのうちの再生アイコンｉ３をタッチ操作した場合において、表示部２５の肩部分２５Ｂの表示を終了せずに、複数のサムネイル画像を表示部２５の肩部分２５Ｂに表示させてもよい。
【００６８】
ユーザーは、肩部分２５Ｂに表示されているサムネイル画像に対応する画像を背面２５Ａに大きく表示させたい場合、任意のサムネイル画像をドラッグ操作するかのように、表示部２５の肩部分２５Ｂから、湾曲部２５Ｃを跨いで背面２５Ａまで指を上下方向に大きくずらす操作を行う。ボディ制御部２１は、上記ドラッグ操作の対象となったサムネイル画像に対応する画像を表示部２５の背面２５Ａに表示させる。
【００６９】
＜再生設定３＞
ユーザーが図３のホームアイコンのうちの再生アイコンｉ３をタッチ操作した場合において、連写画像を再生する場合には、連写した複数コマのサムネイル画像を表示部２５の肩部分２５Ｂに表示させてもよい。
【００７０】
ユーザーは、肩部分２５Ｂに表示されている複数コマのサムネイル画像に対し、例えば、撮像コマ順にサムネイル画像をドラッグ操作するかのように、表示部２５の肩部分２５Ｂから、湾曲部２５Ｃを跨いで背面２５Ａまで指を上下方向に大きくずらす操作を行う。ボディ制御部２１は、上記ドラッグ操作の対象となったコマのサムネイル画像に対応する画像を表示部２５の背面２５Ａに表示させる。
【００７１】
ボディ制御部２１は、次のコマのサムネイル画像に対し、表示部２５の肩部分２５Ｂから湾曲部２５Ｃを跨いで背面２５Ａまで指を上下方向に大きくずらす操作が行なわれると、例えば、背面２５Ａに表示されている前コマの画像との相違する部分をハイライト表示した半透過画像として、前コマの画像より手前に重ねて背面２５Ａに重畳表示させる。ボディ制御部２１は、指のずらし位置が下方へ下がるほど半透過画像の透過率を下げていき、最後に透過率を０にして、前コマの画像に代えて背面２５Ａに表示させる。
【００７２】
＜フローチャートの説明＞
図２８は、撮像条件の設定例として上述した露出モードを設定変更する場合にボディ制御部２１が実行する処理の流れを説明するフローチャートである。ボディ制御部２１は、露出モードの設定変更時において、図２８に例示する処理を繰り返し実行する。
【００７３】
図２８のステップＳ１０において、ボディ制御部２１は、表示部２５における湾曲部２５Ｃが操作されたか否かを判定する。ボディ制御部２１は、タッチ操作部材２５Ｓからの検出信号が湾曲部２５Ｃに対する操作を示すと、ステップＳ１０を肯定判定してステップＳ２０へ進む。ボディ制御部２１は、タッチ操作部材２５Ｓからの検出信号が湾曲部２５Ｃに対する操作を示さない場合は、ステップＳ１０を否定判定して図２８による処理を終了する。
【００７４】
ステップＳ２０において、ボディ制御部２１は、操作方向が上下方向か否かを判定する。ボディ制御部２１は、タッチ操作部材２５Ｓからの検出信号が上下方向の操作を示すと、ステップＳ２０を肯定判定してステップＳ３０へ進む。ボディ制御部２１は、タッチ操作部材２５Ｓからの検出信号が上下方向の操作を示さない場合は、ステップＳ２０を否定判定して図２８による処理を終了する。
【００７５】
ステップＳ３０において、ボディ制御部２１は、操作が湾曲部２５Ｃを跨ぐか否かを判定する。ボディ制御部２１は、タッチ操作部材２５Ｓからの検出信号が湾曲部２５Ｃを跨いだ操作を示すと、ステップＳ３０を肯定判定してステップＳ４０へ進む。ボディ制御部２１は、タッチ操作部材２５Ｓからの検出信号が湾曲部２５Ｃを跨いだ操作を示さない場合は、ステップＳ３０を否定判定してステップＳ６０へ進む。
【００７６】
ステップＳ４０において、ボディ制御部２１は、露出モードの設定値を示す一覧表示を、表示部２５の背面２５Ａに表示させてステップＳ５０へ進む。ステップＳ５０において、ボディ制御部２１は以下の設定処理を行う。すなわち、一覧表示のうちのＰ、Ｓ、Ａ、Ｍのいずれかがタッチ操作が検出されると、タッチ操作されたモードに露出モードを切り替えるとともに、一覧表示の表示を終了させて、図２８による処理を終了する。ここで、一覧表示のうちのＰ、Ｓ、Ａ、Ｍのいずれかに対するタッチ操作は、湾曲部２５Ｃを跨がない操作に含まれる。
【００７７】
上記ステップＳ３０を否定判定した場合に進むステップＳ６０において、ボディ制御部２１は、以下の設定処理を行う。すなわち湾曲部２５Ｃに対する操作が検出されるごとに、露出モードを、Ｐ→Ｓ→Ａ→Ｍ→Ｐ…または、Ｐ→Ｍ→Ａ→Ｓ→Ｐ…の順に切り替えて、図２８による処理を終了する。
【００７８】
図２９は、撮像条件の設定例として上述した露出補正を設定変更する場合にボディ制御部２１が実行する処理の流れを説明するフローチャートである。ボディ制御部２１は、露出補正の設定変更時において、図２９に例示する処理を繰り返し実行する。図２９は、図２８と比べるとステップＳ１４０〜ステップＳ１７０までの処理が異なるので、これら相違点を中心に説明する。
【００７９】
ステップＳ３０において肯定判定された場合に進む図２９のステップＳ１４０において、ボディ制御部２１は、表示部２５の肩部分２５Ｂ、湾曲部２５Ｃおよび背面２５Ａに沿って粗い目盛７２（図１１）を表示させて、ステップＳ１５０へ進む。ステップＳ１５０において、ボディ制御部２１は、湾曲部２５Ｃを跨ぐ操作が検出されるごとに、露出補正値を大きな分解能（例えば１段ステップ）で切り替えて、図２９による処理を終了する。
【００８０】
ステップＳ３０において否定判定された場合に進む図２９のステップＳ１６０において、ボディ制御部２１は、表示部２５の肩部分２５Ｂ、湾曲部２５Ｃおよび背面２５Ａに沿って細かい目盛７２Ｂ（図１３）を表示させて、ステップＳ１７０へ進む。ステップＳ１７０において、ボディ制御部２１は、湾曲部２５Ｃを跨がない操作が検出されるごとに、露出補正値を小さな分解能（例えば０．１段ステップ）で切り替えて、図２９による処理を終了する。
【００８１】
図３０は、上述した画像に対するエフェクトを設定変更する場合にボディ制御部２１が実行する処理の流れを説明するフローチャートである。ボディ制御部２１は、エフェクトの設定変更時において、図３０に例示する処理を繰り返し実行する。図３０は、図２８と比べるとステップＳ２４０〜ステップＳ２６０までの処理が異なるので、これら相違点を中心に説明する。
【００８２】
ステップＳ３０において肯定判定された場合に進む図３０のステップＳ２４０において、ボディ制御部２１は、表示部２５Ａに表示されているライブビュー画像に対してエフェクトを適用する。すなわち、ライブビュー画像に対してエフェクトを適用した画像処理を行い、画像処理後の画像を表示部２５の背面２５Ａに表示させる。適用するエフェクトは、表示部２５の肩部分２５Ｂに表示されているものである。
【００８３】
ステップＳ３０において否定判定された場合に進むステップＳ２５０において、ボディ制御部２１は、表示部２５の肩部分２５Ｂに表示する設定値（本例ではエフェクトの候補）を変更して図３０による処理を終了する。
【００８４】
ステップＳ２０において否定判定された場合に進むステップＳ２６０において、ボディ制御部２１は、表示部２５Ａに表示されているライブビュー画像に対して適用するエフェクトの強さを変更してステップＳ２４０へ進む。
【００８５】
［実施例１］
以下に、具体的な外観を示して第１の実施形態に係る実施例１を説明する。
図３１〜図３６は、実施例１に係るカメラボディ２の形状を示す６面図である。図３１は、カメラボディ２の正面図である。図３２は、カメラボディ２の左側面図である。図３３は、カメラボディ２の平面図である。図３４は、カメラボディ２の下面図である。図３５は、カメラボディ２の右側面図である。図３６は、カメラボディ２の背面図である。
【００８６】
図３７は、カメラボディ２の正面、上面および右側面を含む斜視図である。カメラボディ２には、グリップＧ１が設けられている。グリップＧ１は、カメラボディ２の正面のボディ側マウント２０１の左側において、カメラボディ２の本体部の上部と下部とにそれぞれつながっている。グリップＧ１とカメラボディ２の本体部との間には、左右方向に貫通された空間を有している。
【００８７】
グリップＧ１を備えることにより、本体部の正面と背面との間が薄く構成されたカメラボディ２を、ユーザーが撮像時に安定して構えることができる。例えば、焦点距離が長い交換レンズ３をカメラボディ２と組み合わせて使用する場合、不図示の交換レンズ３の鏡筒を左手で支え、右手でカメラボディ２のグリップＧ１をつかみ、右手の指でカメラボディ２の操作部材２６を操作する。
【００８８】
グリップＧ１とカメラボディ２の本体部との間に空間を設けたことにより、ユーザーがカメラボディ２を持つ場合に空間に指をかけたり、空間に指を通したりするなど、カメラボディ２の持ち方、カメラボディ２の支持方法のバリーエーションが豊富になる。
【００８９】
また、グリップＧ１とカメラボディ２の本体部との間に空間を設けたことにより、この空間を塞ぐ場合に比べて、カメラボディ２の軽量化を図ることができる。
【００９０】
グリップＧ１とカメラボディ２の本体部との間の空間に放熱フィンを形成し、本体部からの放熱の効率を高めてもよい。放熱フィンは、グリップＧ１の内面にカメラ左右方向に延在し、表面積を増大する形状を有する。たとえば、断面が矩形、半円形状などの凹凸繰り返し形状、溝形状などである。
【００９１】
グリップＧ１とカメラボディ２の本体部との間の空間に、予備電池等のアクセサリを装着するように構成してもよい。また、リセットスイッチ等の操作部材を上記空間に設けてもよい。
グリップＧ１をカメラボディ２の本体部と別部品として構成し、着脱式グリップとしてもよい。着脱グリップと本体部とを着脱機構で結合する。着脱グリップの形状、色彩を複数用意し、ユーザーの好みで交換することができる。
カメラボディ２の本体部である筐体ケースに配設される発熱部品は、グリップＧ１が配設されるカメラ側方端部に設けると放熱効果が向上する。
発熱部品とグリップＧ１とを伝熱性の良い伝熱部材で熱結合するのが好ましい。
また、発熱部品がグリップＧ１とは逆方向、たとえば、カメラ右端部側に配置されたときは、発熱部品にヒートシンクを結合させ、このヒートシンクとグリップＧ１とを伝熱部材で結合すると放熱効果が向上する。
【００９２】
［実施例２］
以下に、具体的な外観を示して第１の実施形態に係る実施例２を説明する。
図３８〜図４３は、実施例２に係るカメラボディ２の形状を示す６面図である。図３８は、カメラボディ２の正面図である。図３９は、カメラボディ２の左側面図である。図４０は、カメラボディ２の平面図である。図４１は、カメラボディ２の下面図である。図４２は、カメラボディ２の右側面図である。図４３は、カメラボディ２の背面図である。
【００９３】
図４４は、カメラボディ２の正面、上面および右側面を含む斜視図である。カメラボディ２には、グリップＧ２が設けられている。グリップＧ２は、カメラボディ２の正面のボディ側マウント２０１の左側において、カメラボディ２の本体部の上部につながっている。グリップＧ２は、カメラボディ２の本体部の下部とはつながっていない。グリップＧ２とカメラボディ２の本体部との間には、空間を有している。
【００９４】
グリップＧ２を備えることにより、正面と背面との間が薄く構成されたカメラボディ２を、ユーザーが撮像時に安定して構えることができる。例えば、焦点距離が長い交換レンズ３をカメラボディ２と組み合わせて使用する場合、不図示の交換レンズ３の鏡筒を左手で支え、右手でカメラボディ２のグリップＧ２をつかみ、右手の指でカメラボディ２の操作部材２６を操作する。
【００９５】
グリップＧ２とカメラボディ２の本体部との間に空間を設けたことにより、ユーザーがカメラボディ２を持つ場合に空間に指をかけたり、空間に指を通したりするなど、カメラボディ２の持ち方、カメラボディ２の支持方法のバリーエーションが豊富になる。
【００９６】
また、グリップＧ２とカメラボディ２の本体部との間に空間を設けたことにより、この空間を塞ぐ場合に比べて、カメラボディ２の軽量化を図ることができる。
【００９７】
［実施例３］
以下に、具体的な外観を示して第１の実施形態に係る実施例３を説明する。
図４５〜図５０は、実施例３に係るカメラボディ２の形状を示す６面図である。図４５は、カメラボディ２の正面図である。図４６は、カメラボディ２の左側面図である。図４７は、カメラボディ２の平面図である。図４８は、カメラボディ２の下面図である。図４９は、カメラボディ２の右側面図である。図５０は、カメラボディ２の背面図である。
【００９８】
図５１は、カメラボディ２の正面、上面および右側面を含む斜視図である。カメラボディ２には、グリップＧ３が設けられている。グリップＧ３は、カメラボディ２の正面のボディ側マウント２０１の左側において、カメラボディ２の本体部の下部につながっている。グリップＧ３は、カメラボディ２の本体部の上部とはつながっていない。グリップＧ３とカメラボディ２の本体部との間には、空間を有している。
【００９９】
グリップＧ３を備えることにより、正面と背面との間が薄く構成されたカメラボディ２を、ユーザーが撮像時に安定して構えることができる。例えば、焦点距離が長い交換レンズ３をカメラボディ２と組み合わせて使用する場合、不図示の交換レンズ３の鏡筒を左手で支え、右手でカメラボディ２のグリップＧ３をつかみ、右手の指でカメラボディ２の操作部材２６を操作する。
【０１００】
グリップＧ３とカメラボディ２の本体部との間に空間を設けたことにより、ユーザーがカメラボディ２を持つ場合に空間に指をかけたり、空間に指を通したりするなど、カメラボディ２の持ち方、カメラボディ２の支持方法のバリーエーションが豊富になる。
【０１０１】
また、グリップＧ３とカメラボディ２の本体部との間に空間を設けたことにより、この空間を塞ぐ場合に比べて、カメラボディ２の軽量化を図ることができる。
【０１０２】
上述した第１の実施形態によれば、次の作用効果が得られる。
（１）カメラ１は、カメラボディ２の本体部の第１の面に設けられた表示部２５の肩部分２５Ｂと、本体部の第２の面に設けられた表示部２５の背面２５Ａと、第１の面でユーザーが指示する位置を検出するとともに、第２の面でユーザーが指示した位置を検出するタッチ操作部材２５Ｓと、タッチ操作部材２５Ｓで検出された指示の位置に基づき、所定の処理を行うボディ制御部２１とを備える。これにより、複数の面に跨る操作、単独の面における操作、複数の面の境界に相当する湾曲部２５Ｃにおける操作等、従来にない操作を識別でき、操作しやすいカメラ１が得られる。
【０１０３】
（２）処理部として機能するボディ制御部２１は、第１の面と第２の面との間を跨ぐ指示操作がタッチ操作部材２５Ｓで検出された場合に第１の処理を行い、第１の面と第２の面との間を跨がない指示操作がタッチ操作部材２５Ｓで検出された場合に第２の処理を行うので、従来にない操作によって異なる処理を行わせることができる。
【０１０４】
（３）ボディ制御部２１は、所定処理としてカメラ１が備える露出モード設定を行い、第１の処理は、タッチ操作部材２５Ｓにより上記跨ぐ指示操作が検出されると露出モードの設定値の一覧を表示部２５の肩部分２５Ｂまたは背面２５Ａに表示するとともに、表示された一覧から上記跨がない指示操作によって指示された設定値に設定し、第２の処理は、表示部２５の肩部分２５Ｂまたは背面２５Ａに設定値が表示されているとき、上記跨がない指示操作によって設定値を変更する。従来にない操作によって、操作しやすいカメラ１が得られる。
【０１０５】
（４）ボディ制御部２１は、所定処理としてカメラ１が備える露出補正設定を行い、第１の処理は、設定する値を示す粗い目盛り７２を表示部２５の肩部分２５Ｂから背面２５Ａに跨いで表示するとともに、上記跨ぐ指示操作に基づき設定する値を１段ステップで変更し、第２の処理は、設定する値を示す細かい目盛り７２Ｂを表示部２５の肩部分２５Ｂから背面２５Ａに跨いで表示するとともに、上記跨がない指示操作に基づき設定する値を０．１段ステップで変更する。従来にない操作によって、操作しやすいカメラ１が得られる。
【０１０６】
（５）ボディ制御部２１は、所定処理としてカメラ１が備えるいずれかの機能の設定を行い、第１の処理は、表示部２５の肩部分２５Ｂまたは背面２５Ａに表示されている設定値を用いた所定処理を実行し、第２の処理は、表示部２５の肩部分２５Ｂまたは背面２５Ａに表示されている設定値の表示を上記跨がない指示操作に基づき変更する。従来にない操作によって、操作しやすいカメラ１が得られる。
【０１０７】
（６）ボディ制御部２１は、表示部２５の肩部分２５Ｂから背面２５Ａ、または背面２５Ａから肩部分２５Ｂへ向かう上下方向へ上記跨がない指示操作がタッチ操作部材２５Ｓで検出された場合に第２の処理を行うとともに、上下方向と交差する水平方向へ上記跨がない指示操作がタッチ操作部材２５Ｓで検出された場合に第３の処理を行う。従来にない操作によって、操作しやすいカメラ１が得られる。
【０１０８】
（７）上記（５）、（６）の機能の設定は画像に対するエフェクト処理の設定であり、第１の処理は、表示部２５の肩部分２５Ｂに表示されているエフェクト処理を画像に対して実行し、第２の処理は、表示部２５の肩部分２５Ｂに表示されるエフェクト処理を上記跨がない指示操作に基づき選択し、第３の処理は、エフェクト機能の強さを上記跨がない指示操作に基づき変更する。従来にない操作によって、操作しやすいカメラ１が得られる。
【０１０９】
（８）カメラボディ２の本体部の一端に配置した空洞グリップＧ１（Ｇ２、Ｇ３）を備えたので、本体部の正面と背面との間が薄く構成されたカメラボディ２を、ユーザーが撮像時に安定して構えることができる。
【０１１０】
（９）空洞グリップＧ１の側方は開放されているので、カメラボディ２の持ち方、カメラボディ２の支持方法のバリーエーションが豊富になる。
【０１１１】
（１０）空洞グリップＧ１内に放熱部を形成したので、放熱効果を高めることができる。
【０１１２】
（１１）空洞グリップＧ１内にアクセサリ増設部、あるいは操作部材を設けたので、開放された空間を有効に使用できる。
【０１１３】
（第２の実施形態）
図５２は、第２の実施形態によるカメラ１の要部構成を説明する図である。また、図６０は、カメラ１を構成するカメラボディ２の外観を示す斜視図である。第１の実施形態によるカメラボディ２に比べて、着脱自在の外付けファインダー８が装着されている点と、操作部材２６としてレリーズボタンの他に２つのダイヤルが追加されている点において相違する。なお、ダイヤルについても着脱可能な構成としてもよい。ダイヤル（操作部材２６）は、回転操作に応じて、回転方向および操作量を示す操作信号をボディ制御部２１へ送出する。
【０１１４】
ファインダー８は、反射ミラー８１と接眼レンズ８２とを含む。ファインダー８は、表示部２５の肩部分２５Ｂの一部を跨ぐように装着される。ファインダー８は、例えば、不図示の爪がカメラボディ２に設けられている不図示の溝部に係合することによって固定される。また、ファインダー８の装着位置は、カメラボディ２の本体部の正面側から見てボディ側マウント２０１に対して左寄りであっても、ボディ側マウント２０１に対して右寄りであってもよく、カメラボディ２に対するファインダー８の装着位置を自由に変えることが可能に構成される。
なお、カメラボディ２に対するファインダー８の固定は、マグネットの磁力を用いて行ってもよいし、バネ力によってカメラボディ２を前後から挟む構成にしてもよい。
【０１１５】
ファインダー８がカメラボディ２に装着されたこと、およびその装着位置は、タッチ操作部材２５Ｓによって検出され、ボディ制御部２１へ伝えられる。ボディ制御部２１は、例えば、ライブビューモードにおいて、図３に例示した画面が表示部２５の肩部分２５Ｂおよび背面２５Ａに表示させていた状態でファインダー８の装着が検出されると、表示部２５の肩部分２５Ｂのうちファインダー８が装着された位置（すなわち、接眼レンズ８２を介して観察可能な表示の範囲）にライブビュー画像の表示を開始させるとともに、表示部２５の背面２５Ａに表示していたライブビュー画像の表示を終了させる。
【０１１６】
表示部２５の肩部分２５Ｂに表示されたライブビュー画像は、ファインダー８の反射ミラー８１で反射される。ユーザーは、反射されたライブビュー画像を接眼レンズ８２を介して観察する。つまり、ファインダー８はＥＶＦ(Electronic View Finder)として使用される。表示部２５の肩部分２５Ｂに表示するライブビュー画像の大きさ等は、ファインダー８の光学系の倍率等の特性に合わせられている。
【０１１７】
ファインダー８を装着することにより、ファインダー８の装着前に表示部２５の肩部分２５Ｂに表示していたアイコン等の表示スペースが狭くなる。ボディ制御部２１は、例えば、アイコン等を縮小表示することによって、表示できないアイコン等の発生を防止したり、ファインダー８の装着時用にあらかじめ定められたアイコン等のみを表示したりする。また、ファインダー８が装着される前と装着された後とで、表示部２５の肩部分２５Ｂに表示するアイコン等の並び順を異ならせてもよい。
なお、表示部２５の肩部分２５Ｂに表示するアイコン等の並び順を、ユーザーがメニュー操作によって指定できるようにしてもよい。
【０１１８】
また、ボディ制御部２１は、ファインダー８の装着前に表示部２５の肩部分２５Ｂに表示していたアイコン等を、表示部２５の肩部分２５Ｂに表示するライブビュー画像に重ねて重畳表示させるようにしてもよい。ライブビュー画像に重ねて表示したアイコン等は、ユーザーが接眼レンズ８２を介してライブビュー画像とともに視認することができる。
【０１１９】
さらに、ボディ制御部２１は、接眼レンズ８２を介して観察可能なアイコン等が第１の実施形態において説明した設定変更の対象になっている場合は、設定変更対象となっていない他のアイコン等との間で表示態様を異ならせることによって、設定変更の対象になってアイコン等をユーザーに対して分かりやすく表示する。
【０１２０】
ユーザーがファインダー８を介してライブビュー画像を確認しているため、各種撮像条件の設定や変更が困難な場合がある。しかし、第１の実施形態で説明したように、ボディ制御部２１により複数の面に跨る操作、単独の面における操作、複数の面の境界に相当する湾曲部２５Ｃにおける操作を検出できるようにすることで、ユーザーの操作性が向上する。換言すると、表示部２５におけるユーザーの操作領域を、表示部２５の形状が異なる領域もしくは形状が異なる領域を跨った領域に設けることで、ユーザーがファインダー８を覗きながらでもその領域の位置を容易に特定することができる。
【０１２１】
またボディ制御部２１は、ユーザーがファインダー８を介してライブビュー画像を確認していることを検出した場合、ユーザーが湾曲部２５Ｃの領域をタッチ操作した領域に、図４に示す条件ｉ７〜ｉ９のいずれかを１つ若しくは複数を表示するようにしてもよい。ボディ制御部２１は、１つの条件のみ表示する場合は、設定されている露出モードに応じて、表示される条件を条件ｉ７〜ｉ９の中から表示させる条件を選択するようにしてもよい。具体的には、Ａモードに設定されている場合は条件ｉ７（絞り値）を表示させ、Ｓモードに設定されている場合は条件ｉ８（シャッター速度）を表示させる。
【０１２２】
ダイヤルが着脱可能に構成された場合、ボディ制御部２１は、ダイヤルがカメラボディ２に装着されたこと、およびその装着位置は、タッチ操作部材２５Ｓによって検出され、ボディ制御部２１へ伝えられる。ボディ制御部２１は、ダイヤルの装着が検出されると、表示部２５の肩部分２５Ｂのうちダイヤルが装着された位置に図１４〜図１９に示したようなダイヤル操作に関する表示を表示させるようにしてもよい。カメラボディ２に対するダイヤルの固定は、マグネットの磁力を用いて行ってもよいし、バネ力によってカメラボディ２を前後から挟む構成にしてもよい。
【０１２３】
＜フローチャートの説明＞
図５３は、上述したファインダー８を使用する場合にボディ制御部２１が実行するＥＶＦ表示変更処理の流れを説明するフローチャートである。ボディ制御部２１は、カメラ１が起動されている場合に、図５３に例示する処理を所定時間ごとに実行する。
【０１２４】
図５３のステップＳ５１０において、ボディ制御部２１は、ファインダー８が装着されたか否かを判定する。ボディ制御部２１は、タッチ操作部材２５Ｓからの検出信号がファインダー８の装着を示すと、ステップＳ５１０を肯定判定してステップＳ５２０へ進む。ボディ制御部２１は、タッチ操作部材２５Ｓからの検出信号がファインダー８の装着を示さない場合には、ステップＳ５１０を否定判定して図５３による処理を終了する。
【０１２５】
ステップＳ５２０において、ボディ制御部２１は、表示部２５の肩部分２５Ｂに表示するアイコン等の並び替えを行ってステップＳ５３０へ進む。ボディ制御部２１は上述したように、アイコン等を縮小表示したり、ファインダー８の装着時用にあらかじめ定められたアイコン等のみを表示したり、表示するアイコン等の並び順を異ならせたりする。
【０１２６】
ステップＳ５３０において、ボディ制御部２１は、表示部２５の肩部分２５Ｂに表示するＥＶＦ画像を生成してステップＳ５４０へ進む。具体的には、表示部２５の背面２５Ａに表示するライブビュー画像に基づき、表示部２５の肩部分２５Ｂに表示し得るサイズの縮小画像を生成する。
【０１２７】
ステップＳ５４０において、ボディ制御部２１は、表示部２５の肩部分２５Ｂのうち、ファインダー８の装着が検出された位置（接眼レンズ８２を介して観察可能な表示の範囲）に、上記ＥＶＦ画像の表示を開始させてステップＳ５５０へ進む。
なお、ボディ制御部２１は、ＥＶＦ画像の表示を開始させると表示部２５の背面２５Ａに表示していたライブビュー画像の表示を終了させる。
【０１２８】
ステップＳ５５０において、ボディ制御部２１は、ファインダー８の装着位置が移動されたか否かを判定する。ボディ制御部２１は、タッチ操作部材２５Ｓからの検出信号がファインダー８の移動を示すと、ステップＳ５５０を肯定判定してステップＳ５６０へ進む。ボディ制御部２１は、タッチ操作部材２５Ｓからの検出信号がファインダー８の移動を示さない場合には、ステップＳ５５０を否定判定して図５３による処理を終了する。
【０１２９】
ステップＳ５６０において、ボディ制御部２１は、表示部２５の肩部分２５Ｂに表示するアイコン等の並び替えを行ってステップＳ５７０へ進む。ファインダー８の装着位置の移動にともなって、表示するアイコン等の並び順を変更するためである。
【０１３０】
ステップＳ５７０において、ボディ制御部２１は、表示部２５の肩部分２５Ｂのうち、ファインダー８の移動先の位置（接眼レンズ８２を介して観察可能な表示の範囲）へ、上記ＥＶＦ画像の表示位置を移動させて図５３による処理を終了する。
【０１３１】
［実施例１］
以下に、具体的な外観を示して第２の実施形態に係る実施例１を説明する。
図５４〜図５９は、実施例１に係るカメラボディ２の形状を示す６面図である。図５４は、カメラボディ２の正面図である。図５５は、カメラボディ２の左側面図である。図５６は、カメラボディ２の平面図である。図５７は、カメラボディ２の下面図である。図５８は、カメラボディ２の右側面図である。図５９は、カメラボディ２の背面図である。
【０１３２】
図６０は、カメラボディ２の正面、上面および右側面を含む斜視図である。カメラボディ２には、グリップＧ１が設けられている。グリップＧ１は、カメラボディ２の正面のボディ側マウント２０１の左側において、カメラボディ２の本体部の上部と下部とにそれぞれつながっている。グリップＧ１とカメラボディ２の本体部との間には、左右方向に貫通された空間を有している。
【０１３３】
グリップＧ１を備えることにより、本体部の正面と背面との間が薄く構成されたカメラボディ２を、ユーザーが撮像時に安定して構えることができる。例えば、焦点距離が長い交換レンズ３をカメラボディ２と組み合わせて使用する場合、不図示の交換レンズ３の鏡筒を左手で支え、右手でカメラボディ２のグリップＧ１をつかみ、右手の指でカメラボディ２の操作部材２６（レリーズボタン、ダイヤル）を操作する。
【０１３４】
グリップＧ１とカメラボディ２の本体部との間に空間を設けたことにより、ユーザーがカメラボディ２を持つ場合に空間に指をかけたり、空間に指を通したりするなど、カメラボディ２の持ち方、カメラボディ２の支持方法のバリーエーションが豊富になる。
【０１３５】
また、グリップＧ１とカメラボディ２の本体部との間に空間を設けたことにより、この空間を塞ぐ場合に比べて、カメラボディ２の軽量化を図ることができる。
【０１３６】
本体部の前方（正面側）に傾斜している部分には、ダイヤル（操作部材２６）が設けられている。ダイヤル（操作部材２６）を本体部の傾斜している部分に設けたことにより、ダイヤル（操作部材２６）を本体部の背面に設ける場合に比べて、ユーザーの指が届きやすくなり、操作しやすくなる。
【０１３７】
また、本体部の前方（正面側）に傾斜している部分には、この傾斜部分を跨ぐようにファインダー８が装着される。ファインダー８の装着位置は、カメラボディ２の本体部に設けられているボディ側マウント２０１に対して左寄りでも、ボディ側マウント２０１に対して真上でも、ボディ側マウント２０１に対して右寄りでも、自由に移動させることができる。
【０１３８】
ファインダー８の装着位置を変更可能に構成したことにより、ユーザーの効き目、ユーザーの鼻の位置を考慮して最適な位置にファインダー８を装着することができる。
【０１３９】
上述した第２の実施形態によれば、第１の実施形態と同様の作用効果に加えて、以下の作用効果が得られる。
（１）カメラボディ２は、表示部２５の肩部分２５Ｂに対する着脱式のファインダー８の装着を検出するタッチ操作部材２５Ｓを備え、ボディ制御部２１は、タッチ操作部材２５Ｓでファインダー８の装着が検出された場合に、ファインダー８を介して視認される画像を表示部２５の肩部分２５Ｂに表示させる。これにより、専用のＥＶＦ表示器を備えなくてもＥＶＦ画像を観察することができる。
【０１４０】
・  タッチ操作部材２５Ｓは、表示部２５の肩部分２５Ｂの表示面に対するファインダー８の装着位置を検出し、ボディ制御部２１は、表示部２５の肩部分２５Ｂにおいて、タッチ操作部材２５Ｓで検出されたファインダー８の装着位置にファインダー８を介して視認される画像を表示させる。これにより、表示部２５の肩部分２５Ｂに対するファインダー８の装着位置の自由度を高めることができる。
【０１４１】
（３）ボディ制御部２１は、タッチ操作部材２５Ｓでファインダー８の装着が検出された場合に、表示部２５の肩部分２５Ｂにおいて、ファインダー８を介して視認される画像の表示を開始させる。これにより、適切なタイミングでＥＶＦ画像の表示を始めることができる
【０１４２】
（４）ボディ制御部２１は、タッチ操作部材２５Ｓでファインダー８の装着位置の変更が検出された場合に、表示部２５の肩部分２５Ｂにおいて、ファインダー８を介して視認される画像の表示位置を変更する。これにより、ファインダー８の装着位置を変えた場合でも、適切な位置にＥＶＦ画像を表示させることができる。
【０１４３】
（第３の実施形態）
第３の実施形態に係るカメラ１と、第１の実施形態に係るカメラ１とは、カメラボディ２の外観が異なる点において相違する。
図６１〜図６６は、第３の実施形態に係るカメラボディ２の形状を示す６面図である。図６１は、カメラボディ２の正面図である。図６２は、カメラボディ２の左側面図である。図６３は、カメラボディ２の平面図である。図６４は、カメラボディ２の下面図である。図６５は、カメラボディ２の右側面図である。図６６は、カメラボディ２の背面図である。
【０１４４】
図６７は、カメラボディ２の正面、上面および右側面を含む斜視図である。カメラボディ２は、平板状に構成された本体部と、本体部の正面を覆うカバー状の部材とが備わり、両者が本体部の上端と下端とにおいてそれぞれつながっている。カバー状の部材には、本体部の正面のボディ側マウント２０１が露出するように開口Ａ１が設けられている。カバー状の部材にはさらに、本体部の正面側から見てボディ側マウント２０１の左側に、ユーザーの指かけ開口Ａ２が設けられている。
【０１４５】
カメラボディ２を構成するカバー状の部材と本体部との間には、左右方向に貫通された空間を有している。この空間を囲む面には、放熱用のフィン７０が多数形成されている。
【０１４６】
カメラボディ２を構成するカバー状の部材と本体部の外側面には、例えばフレキシブル液晶パネルが設けられている。フレキシブル液晶パネルは、第１の実施形態の説明において参照した図２の表示部２５に相当する。第３の実施形態では、カメラボディ２の背面から上面、上面から正面、正面から下面、下面から背面にかけて、表示部２５およびタッチ操作部材２５Ｓが備わる。つまり、上面、下面、正面、背面という異なる面において、表示部２５が設けられている。なお、下面については、表示部２５およびタッチ操作部材２５Ｓを備えるようにしてもよい。その場合、第３の実施形態では、背面と、肩部分の曲面と、前面とにそれぞれ表示領域が設けられている。これら各面の表示領域は、たとえば、１枚のフレキシブル液晶パネルで構成する。なお、背面用液晶パネルと、肩部分の曲面用液晶パネルと、前面用液晶パネルとの３枚で表示部２５を構成してもよい。また、３枚の液晶パネルに代えて２枚の液晶パネルで３つの面の表示領域を構成してもよい。つまり背面用液晶パネルと曲面用液晶パネルとを連続した１枚の液晶パネルにより構成し、前面用液晶パネルを１枚の液晶パネルにより構成するようにしてもよい。また、背面用液晶パネルを１枚の液晶パネルにより構成し、肩部分の曲面用液晶パネルと前面用液晶パネルとを連続した１枚の液晶パネルにより構成するようにしてもよい。
【０１４７】
表示部２５は、ボディ制御部２１の指示に応じて画像を再生表示したり、シャッター速度、絞り値、撮像枚数などのカメラ情報や、カメラボディ２に各種設定操作を行うための操作部情報や、操作メニュー画面を表示したりする。
【０１４８】
指かけ開口Ａ２を備えることにより、本体部の正面と背面との間が薄く構成されたカメラボディ２を、ユーザーが撮像時に安定して構えることができる。例えば、焦点距離が長い交換レンズ３をカメラボディ２と組み合わせて使用する場合、不図示の交換レンズ３の鏡筒を左手で支え、右手でカメラボディ２の指かけ開口Ａ２および指かけ開口Ａ２の周囲をつかみ、右手の指でカメラボディ２の操作部材２６を操作する。
【０１４９】
ユーザーは、指かけ開口Ａ２に指をかけたり、カメラボディ２を構成するカバー状の部材と本体部との間の空間に指を入れたりするなど、カメラボディ２の持ち方、カメラボディ２の支持方法のバリーエーションが豊富になる。
【０１５０】
また、カメラボディ２を構成するカバー状の部材と本体部との間の空間を囲む面に放熱用のフィン７０を設けたことにより、カメラボディ２の放熱特性を高めることができる。
【０１５１】
上述した第３の実施形態によれば、第１の実施形態と同様の作用効果に加えて、以下の作用効果が得られる。
カメラボディ２の背面から上面、上面から正面にかけて、表示部２５およびタッチ操作部材２５Ｓを備えたので、従来にない操作を実現できる。図６８は、新しい操作態様を例示する図である。ユーザーは、ライブビューモードにおいて、表示部２５にふれる指を、背面から上面、上面から正面へと移動させる操作を行う。ボディ制御部２１は、背面から上面、上面から正面へと移動する操作を検出すると、例えば、自分撮りモードへ切り替える。自分撮りモードでは、ライブビュー画像やアイコン等を、カメラボディ２の正面や上面（表示部２５）に表示させる。なお、ユーザーが、背面を操作し、上面を操作せず、所定時間たとえば１秒以内に表面を操作する連続した操作により、自分撮りモードへ切り替えるようにしてもよい。つまり、ボディ制御部２１は、異なる面において、連続した操作を検出すると、所定の処理を行うことができる。
【０１５２】
次のような変形も本発明の範囲内であり、変形例の一つ、もしくは複数を上述の実施形態と組み合わせることも可能である。
（変形例１）
図６９は、新しい操作を説明する図である。例えば、第１の実施形態において説明した再生設定１のように、表示部２５の背面２５Ａに再生画像を表示させている場合において、湾曲部２５Ｃを跨ぐ操作によって、再生画像のデータを他の電子機器へ送信するように構成する。
【０１５３】
図６９の例では、あらかじめカメラボディ２が、人物Ａが携帯する不図示の電子機器と、人物Ｂが携帯する不図示の電子機器との間でそれぞれ無線通信を確立させているものとする。ユーザーは、背面２５Ａに表示されているサムネイル画像に対応する画像を人物Ａの電子機器へ無線送信させたい場合、サムネイル画像をドラッグ操作するかのように、表示部２５の背面２５Ａから、湾曲部２５Ｃを跨いで肩部分２５Ｂへ大きくずらし、さらに肩部分２５Ｂにおいて人物Ａ方向に指をずらす操作を行う。ボディ制御部２１は、上記ドラッグ操作の対象となったサムネイル画像に対応する画像のデータを人物Ａの電子機器へ無線送信する。
【０１５４】
同様に、ユーザーは、背面２５Ａに表示されているサムネイル画像に対応する画像を人物Ｂの電子機器へ無線送信させたい場合、サムネイル画像をドラッグ操作するかのように、表示部２５の背面２５Ａから、湾曲部２５Ｃを跨いで肩部分２５Ｂへ大きくずらし、さらに肩部分２５Ｂにおいて人物Ｂ方向に指をずらす操作を行う。ボディ制御部２１は、上記ドラッグ操作の対象となったサムネイル画像に対応する画像のデータを人物Ｂの電子機器へ無線送信する。
【０１５５】
（変形例２）
上述した説明では、電子機器としてカメラ１を例に説明したが、スマートフォンのようにカメラ機能を備えた高機能携帯電話機や、タブレット端末などのモバイル機器によって構成してもよい。
【０１５６】
（変形例３）
また、電子機器は、カメラ機能を備えていない再生機器であってもよい。
（変形例４）
第１の実施形態と第２実施の形態では、表示部２５は、１枚のフレキシブル液晶パネルによって構成されるものとして説明した。表示部２５を1枚の液晶パネルで構成せず、複数枚の液晶パネルで構成しても良い。たとえば、背面２５Ａ用の背面パネルと、肩部分２５Ｂ用の上面パネルとの２枚で表示部２５を構成しても良い。
【０１５７】
（変形例５）
第１の実施形態と第２の実施形態では、背面２５Ａと肩部分２５Ｂの表示領域をそれぞれ平面とし、所定の交差角度で連続するものとし、かつ、背面２５Ａと肩部分２５Ｂとを所定の曲面で接続した。肩部分２５Ｂの表示領域を、平面の代わりに曲面としても良い。
【０１５８】
（変形例６）
第１の実施形態と第２の実施形態では、背面２５Ａと肩部分２５Ｂの表示領域を連続する１枚の液晶パネルとして説明した。背面２５Ａと肩部分２５Ｂの接続領域に３つ目の表示領域を設定してもよい。つまり湾曲部２５Ｃを第３の表示領域としてもよい。この第３の表示領域と、背面２５Ａと肩部分２５Ｂとをそれぞれ別々の液晶パネルで構成してもよい。また、第３の表示領域を曲面としても良い。また、背面２５Ａと湾曲部２５Ｃとを連続する１枚の液晶パネルにより構成するようにし、肩部分２５Ｂを１枚の液晶パネルにより構成するようにしてもよい。また、背面２５Ａを１枚の液晶パネルで構成し、肩部分２５Ｂと湾曲部２５Ｃとを連続する１枚の液晶パネルにより構成するようにしてもよい。
【０１５９】
(変形例７)
液晶パネルに代えて、有機化合物を用いた有機エレクトロルミネッセンス（有機ディスプレイ）を表示部２５として用いても良い。
【０１６０】
上記では、種々の実施の形態および変形例を説明したが、本発明はこれらの内容に限定されるものではない。本発明の技術的思想の範囲内で考えられるその他の態様も本発明の範囲内に含まれる。すなわち、本発明は、本体部の第１の面に設けられた第１表示部と、本体部の第１の面とは異なる第２の面に設けられた第２表示部と、第１の面に対する第１操作と、第２の面に対する第２操作を検出する検出部と、検出部の検出位置に基づき、所定の処理を行う処理部とを備える種々の電子機器に適用することができる。
【０１６１】
したがって、各構成要素を各実施形態、実施例で説明した素子、部品以外のもので構成しても良い。処理部で実行される処理も、第１の面と第２の面に対するユーザー指示操作に基づく種々の処理を含み、上記実施形態や実施例で説明した処理に限定されない。
また、カメラボディ２が平板状であることは、必須の構成ではない。すなわち、略立方体形状の筐体ケースに背面２５Ａ、肩部分２５Ｂを設けた形状であってもよい。
【符号の説明】
【０１６２】
１…カメラ
２…カメラボディ
３…交換レンズ
８…ファインダー
２１…ボディ制御部
２５…表示部
２５Ａ…背面
２５Ｂ…肩部分
２５Ｃ…湾曲部
２５Ｓ…タッチ操作部材
２６…操作部材
３５…レンズ制御部
Ａ１…開口
Ａ２…指かけ開口
Ｇ１、Ｇ２、Ｇ３…グリップ
【図１】
2016208196.tif 000003
【図２】
2016208196.tif 000004
【図３】
2016208196.tif 000005
【図４】
2016208196.tif 000006
【図５】
2016208196.tif 000007
【図６】
2016208196.tif 000008
【図７】
2016208196.tif 000009
【図８】
2016208196.tif 000010
【図９】
2016208196.tif 000011
【図１０】
2016208196.tif 000012
【図１１】
2016208196.tif 000013
【図１２】
2016208196.tif 000014
【図１３】
2016208196.tif 000015
【図１４】
2016208196.tif 000016
【図１５】
2016208196.tif 000017
【図１６】
2016208196.tif 000018
【図１７】
2016208196.tif 000019
【図１８】
2016208196.tif 000020
【図１９】
2016208196.tif 000021
【図２０】
2016208196.tif 000022
【図２１】
2016208196.tif 000023
【図２２】
2016208196.tif 000024
【図２３】
2016208196.tif 000025
【図２４】
2016208196.tif 000026
【図２５】
2016208196.tif 000027
【図２６】
2016208196.tif 000028
【図２７】
2016208196.tif 000029
【図２８】
2016208196.tif 000030
【図２９】
2016208196.tif 000031
【図３０】
2016208196.tif 000032
【図３１】
2016208196.tif 000033
【図３２】
2016208196.tif 000034
【図３３】
2016208196.tif 000035
【図３４】
2016208196.tif 000036
【図３５】
2016208196.tif 000037
【図３６】
2016208196.tif 000038
【図３７】
2016208196.tif 000039
【図３８】
2016208196.tif 000040
【図３９】
2016208196.tif 000041
【図４０】
2016208196.tif 000042
【図４１】
2016208196.tif 000043
【図４２】
2016208196.tif 000044
【図４３】
2016208196.tif 000045
【図４４】
2016208196.tif 000046
【図４５】
2016208196.tif 000047
【図４６】
2016208196.tif 000048
【図４７】
2016208196.tif 000049
【図４８】
2016208196.tif 000050
【図４９】
2016208196.tif 000051
【図５０】
2016208196.tif 000052
【図５１】
2016208196.tif 000053
【図５２】
2016208196.tif 000054
【図５３】
2016208196.tif 000055
【図５４】
2016208196.tif 000056
【図５５】
2016208196.tif 000057
【図５６】
2016208196.tif 000058
【図５７】
2016208196.tif 000059
【図５８】
2016208196.tif 000060
【図５９】
2016208196.tif 000061
【図６０】
2016208196.tif 000062
【図６１】
2016208196.tif 000063
【図６２】
2016208196.tif 000064
【図６３】
2016208196.tif 000065
【図６４】
2016208196.tif 000066
【図６５】
2016208196.tif 000067
【図６６】
2016208196.tif 000068
【図６７】
2016208196.tif 000069
【図６８】
2016208196.tif 000070
【図６９】
2016208196.tif 000071